(57)【要約】【課題】アナログテレビ等におけるアナログテレビ放送の受信を妨げることなく、地デジ放送の番組の映像信号等を、アナログテレビ放送信号に変換して送信する地デジ放送受信装置を提供する。【解決手段】  地デジ放送受信装置は、アナログテレビ放送におけるチャンネル１または２の一方を設定チャンネルとし、地デジ放送の番組の映像信号等を、設定チャンネルに対応するアナログテレビ放送信号に変換して送信する。そして、チャンネル１または２のうち、設定チャンネルではないチャンネルで放送が行われていないことを検知すると（Ｓ５２０：Ｙｅｓ）、設定チャンネルを他方のチャンネルに切り替え（Ｓ５２５）、地デジ放送の番組の映像信号等を、新たな設定チャンネルに対応する放送信号に変換して送信する。【選択図】図３
2010239538.tif 000002
【特許請求の範囲】
【請求項１】
アナログテレビ放送信号とデジタルテレビ放送信号とを受信する変換装置であって、
受信したデジタルテレビ放送信号から、ユーザにより指定されたデジタルテレビ放送のチャンネルに対応する映像信号と音声信号とを抽出する抽出手段と、
アナログテレビ放送におけるチャンネルのうちの判定対象チャンネルについて、受信したアナログテレビ放送信号の状態に基づき、アナログテレビ放送が行われているかどうかを判定する判定手段と、
前記判定手段により放送が行われていないと判定されたチャンネルを空きチャンネルとし、前記抽出手段により抽出された信号を、アナログテレビ放送における前記空きチャンネルに対応する周波数のアナログテレビ放送信号に変換し、変換したアナログテレビ放送信号を、アナログテレビ放送を視聴するための受信装置に対して送信する変換手段と、
を備えることを特徴とする変換装置。
【請求項２】
請求項１に記載の変換装置において、
前記変換装置は、デジタルテレビ放送の電波と、アナログテレビ放送の電波との受信が可能であるアンテナ部に接続されており、該アンテナ部からアナログテレビ放送信号とデジタルテレビ放送信号とを受信し、
前記変換手段は、変調した信号を、前記アンテナ部を介して前記受信装置に対して送信すること、
を特徴とする変換装置。
【請求項３】
請求項１または請求項２に記載の変換装置において、
前記判定対象チャンネルとは、それぞれが異なる放送区域において前記空きチャンネルとして設定されている複数のチャンネルから構成されていること、
を特徴とする変換装置。
【請求項４】
請求項１から請求項３のいずれかに記載の変換装置において、
前記判定手段は、
受信したアナログテレビ放送信号から、前記判定対象チャンネルに対応する周波数帯域の信号を抽出するＢＰＦ（Band Pass Filter）をさらに備え、
前記ＢＰＦを通過した信号に基づき、前記特定対象チャンネルにてアナログテレビ放送が行われているかどうかを判定すること、
を特徴とする変換装置。
【請求項５】
請求項３または請求項４に記載の変換装置において、
前記判定対象チャンネルは、互いに隣接する第一のチャンネルと第二のチャンネルとから構成されており、
前記判定手段は、前記変換手段により前記第一のチャンネルが前記空きチャンネルとされている場合には、前記第二のチャンネルについて、アナログテレビ放送が行われているかどうかを判定し、
前記変換手段は、前記判定手段により、前記第二のチャンネルにてアナログテレビ放送が行われていないと判定された場合には、前記第一のチャンネルに替えて、前記第二のチャンネルを前記空きチャンネルとすること、
を特徴とする変換装置。
【発明の詳細な説明】
【技術分野】
【０００１】
本発明は、デジタルテレビ放送を受信して映像信号等を生成し、生成した映像信号等をアナログテレビ放送の放送信号に変換する変換装置に関する。
【背景技術】
【０００２】
２０１１年７月２４日でアナログテレビ放送が終了するため、この日以降は、アナログテレビ放送のみに対応しているアナログテレビにより、テレビ番組を視聴することができなくなってしまう。
【０００３】
ここで、地上デジタルテレビ放送（以後、地デジ放送とも記載）用のチューナをアナログテレビに外付けし、このチューナから出力される映像信号等を、映像端子等を介してアナログテレビに入力し、アナログテレビを用いて地デジ放送の番組を視聴することが提案されている。
【０００４】
また、車載用のアナログテレビには、映像入力端子等（以下、映像端子）が設けられておらず、地デジ放送用のチューナを外付けすることができない機種が多いが、特許文献１には、このようなアナログテレビを用いた地デジ放送の番組の視聴を可能とする変換装置について記載されている。この変換装置は、地上デジ放送を受信して映像信号及び音声信号を生成し、生成した信号をアナログテレビ放送信号に変換して送信する。そして、変換装置から送信されたアナログテレビ放送信号を受信することにより、映像端子が設けられていない車載用のアナログテレビにて、地デジ放送の番組の視聴が可能となる。
【先行技術文献】
【特許文献】
【０００５】
【特許文献１】登録実用新案第３１３６１５４号公報
【発明の概要】
【発明が解決しようとする課題】
【０００６】
ここで、特許文献１に記載の変換装置は、地デジ放送の番組の映像信号等を、アナログテレビ放送におけるチャンネルのうち、放送が行われていない空きチャンネルに対応する周波数の信号に変調することが望ましい。その理由は、このような周波数の信号に変調することにより、アナログテレビ放送が終了するまでは、アナログテレビにて、アナログテレビ放送の全ての番組を視聴することが可能となるためである。しかしながら、アナログテレビ放送では、放送区域毎に固有にチャンネルが設定されており、放送区域毎に異なるチャンネルが空きチャンネルとなっている場合がある。このため、仮に、地デジ放送の映像信号等が空きチャンネルに対応するアナログテレビ放送信号に変換されていても、変換装置が存在する放送区域が変化することにより空きチャンネルが変動し、アナログテレビでのアナログテレビ放送の視聴を妨げてしまうおそれがある。
【０００７】
本願発明は上記課題に鑑みてなされたものであり、アナログテレビ等の受信装置におけるアナログテレビ放送の受信を妨げることなく、デジタルテレビ放送の番組の映像信号を、アナログテレビ放送における放送信号に変換して送信することができる変換装置を提供することを目的とする。
【課題を解決するための手段】
【０００８】
かかる目的を達成するためになされた請求項１に記載の発明は、
アナログテレビ放送信号とデジタルテレビ放送信号とを受信する変換装置であって、
受信したデジタルテレビ放送信号から、ユーザにより指定されたデジタルテレビ放送のチャンネルに対応する映像信号と音声信号とを抽出する抽出手段と、
アナログテレビ放送におけるチャンネルのうちの判定対象チャンネルについて、受信したアナログテレビ放送信号の状態に基づき、アナログテレビ放送が行われているかどうかを判定する判定手段と、
前記判定手段により放送が行われていないと判定されたチャンネルを空きチャンネルとし、前記抽出手段により生成された信号を、アナログテレビ放送における前記空きチャンネルに対応する周波数のアナログテレビ放送信号に変換し、変換したアナログテレビ放送信号を、アナログテレビ放送を視聴するための受信装置に対して送信する変換手段と、
を備えることを特徴とする。
【０００９】
また、請求項２に記載の発明は、請求項１に記載の変換装置において、
前記変換装置は、デジタルテレビ放送の電波と、アナログテレビ放送の電波との受信が可能であるアンテナ部に接続されており、該アンテナ部からアナログテレビ放送信号とデジタルテレビ放送信号とを受信し、
前記変換手段は、変調した信号を、前記アンテナ部を介して前記受信装置に対して送信することを特徴とする。
【００１０】
また、請求項３に記載の発明は、請求項１または請求項２に記載の変換装置において、
前記判定対象チャンネルとは、それぞれが異なる放送区域において前記空きチャンネルとして設定されている複数のチャンネルから構成されていることを特徴とする。
【００１１】
また、請求項４に記載の発明は、請求項１から請求項３のいずれかに記載の変換装置において、
前記判定手段は、
受信したアナログテレビ放送信号から、前記判定対象チャンネルに対応する周波数帯域の信号を抽出するＢＰＦ（Band Pass Filter）をさらに備え、
前記ＢＰＦを通過した信号に基づき、前記特定対象チャンネルにてアナログテレビ放送が行われているかどうかを判定することを特徴とする。
【００１２】
また、請求項５に記載の発明は、請求項３または請求項４に記載の変換装置において、
前記判定対象チャンネルは、互いに隣接する第一のチャンネルと第二のチャンネルとから構成されており、
前記判定手段は、前記変換手段により前記第一のチャンネルが前記空きチャンネルとされている場合には、前記第二のチャンネルについて、アナログテレビ放送が行われているかどうかを判定し、
前記変換手段は、前記判定手段により、前記第二のチャンネルにてアナログテレビ放送が行われていないと判定された場合には、前記第一のチャンネルに替えて、前記第二のチャンネルを前記空きチャンネルとすることを特徴とする。
【発明の効果】
【００１３】
請求項１に記載の変換装置においては、抽出手段により、デジタルテレビ放送信号から、ユーザにより指定されたチャンネルに対応する映像信号と音声信号とを抽出され、判定手段により、判定対象チャンネルについて、アナログテレビ放送信号の状態に基づき、放送が行われているかどうかが判定される。そして、変換手段により、抽出手段により抽出された信号が空きチャンネルに対応する周波数の信号に変換され、アナログテレビ放送を視聴するための受信装置に対して送信される。尚、受信装置とは、例えば、アナログテレビであっても良い。
【００１４】
こうすることにより、変換装置は、デジタルテレビ放送の番組の映像信号や音声信号を
、空きチャンネルに対応する放送信号に変換して受信装置に送信することができる。したがって、請求項１に記載の変換装置は、アナログテレビ等の受信装置におけるアナログテレビ放送の受信を妨げることなく、デジタルテレビ放送の番組の映像信号等を、アナログテレビ放送信号に変換して受信装置に送信することができる。
【００１５】
また、請求項２に記載の変換装置においては、アンテナ部からアナログテレビ放送信号とデジタルテレビ放送信号とを受信し、変換手段は、変調した信号を、アンテナ部を介して受信装置に対して送信する。
【００１６】
こうすることにより、変換装置と受信装置とを同軸ケーブル等の伝送線路で接続しなくても、変換装置から受信装置にデジタルテレビ放送を視聴するためのアナログテレビ放送信号を送信することができる。したがって、より簡単に、変換装置を設置することができる。
【００１７】
また、アナログテレビ放送の受信が可能な区域は、複数の放送区域に分割されており、放送区域毎に固有にチャンネルが設定されている。
そこで、請求項３に記載の変換装置においては、判定対象チャンネルとは、それぞれが異なる放送区域において空きチャンネルとして設定されている複数のチャンネルから構成されている。
【００１８】
こうすることにより、変換装置がどの放送区域に存在する場合であっても、判定対象チャンネルのうちのいずれかは空きチャンネルとなる。したがって、例えば、変換装置が車両に搭載されており、この車両が新たな放送区域に進入し、空きチャンネルが他のチャンネルに変わった場合であっても、デジタルテレビ放送の番組の映像信号等を、新たな空きチャンネルに対応する放送信号に変換することが可能となる。
【００１９】
また、請求項４に記載の変換装置においては、判定手段は、アナログテレビ放送信号から、判定対象チャンネルに対応する周波数帯域の信号を抽出するＢＰＦをさらに備え、ＢＰＦを通過した信号に基づき、放送が行われているかどうかを判定する。
【００２０】
こうすることにより、アナログテレビ放送用のチューナを用いて判定対象チャンネルに対応する信号を抽出する場合に比べ、より簡単な構成により、判定対象チャンネルにおける放送の有無についての判定を行うことができる。
【００２１】
また、アナログテレビ放送における放送区域では、一般的に偶数チャンネルと奇数チャンネルのうちの一方が空きチャンネルとして設定され、さらに、隣接する二つの放送区域においては、一方では偶数チャンネルが空きチャンネルとして設定され、他方では奇数チャンネルが空きチャンネルとして設定される。このため、どの放送区域においても、隣接するチャンネルの一方は、必ず空きチャンネルであると考えられる。
【００２２】
そこで、請求項５に記載の変換装置においては、判定対象チャンネルは、互いに隣接する第一のチャンネルと第二のチャンネルとから構成され、判定手段は、第一のチャンネルが空きチャンネルとされている場合には、第二のチャンネルについてアナログテレビ放送の有無を判定し、変換手段は、第二のチャンネルにて放送が行われていない場合には、第一のチャンネルに替えて、第二のチャンネルを空きチャンネルとする。
【００２３】
こうすることにより、例えば、変換装置が車両に搭載されており、この車両が新たな放送区域に進入し、空きチャンネルが偶数チャンネルから奇数チャンネル（或いはその逆）に入れ替わった場合であっても、自動的に、デジタルテレビ放送の映像信号等が変換され
た信号を、新たな空きチャンネルに対応する信号に切り替えることができる。
【図面の簡単な説明】
【００２４】
【図１】地デジ放送受信装置を有するシステムの構成を示すブロック図である。
【図２】地デジ放送受信装置の構成を示すブロック図である。
【図３】設定チャンネル切替処理についてのフローチャートである。
【図４】地デジ放送受信装置の構成を示すブロック図である。
【発明を実施するための形態】
【００２５】
以下、本発明の実施形態について図面を用いて説明する。尚、本発明の実施の形態は、下記の実施形態に何ら限定されることはなく、本発明の技術的範囲に属する限り種々の形態を採りうる。
【００２６】
［構成の説明］
図１は、本実施形態における地デジ放送受信装置１００を有するシステムの構成を示すブロック図である。本システムは車両に搭載されており、地デジ放送受信装置１００は、同軸ケーブル等の伝送線路を介して、ＶＨＦ帯，ＵＨＦ帯の電波の受信が可能な地デジ用アンテナ２００に接続されている。また、本システムは、さらに、ＶＨＦ帯，ＵＨＦ帯の電波と、ＡＭ，ＦＭラジオ放送の電波の受信が可能なアナログ放送用アンテナ４００と、該アンテナに接続されており、アナログテレビ放送の視聴やラジオ放送の聴取が可能なオーディオ３００とを有している。尚、地デジ用アンテナ２００とアナログ放送用アンテナ４００とは、互いに近接した状態で配置されている。これらのアンテナは、車両のウインドウに貼り付けられるフィルムアンテナであっても良く、仮にこれらのアンテナがフィルムアンテナである場合には、重ねられた状態でいずれかのウインドウに貼り付けられても良い。
【００２７】
次に、地デジ放送受信装置１００の構成について、図２に記載のブロック図を用いて説明する。地デジ放送受信装置１００は、地デジ用アンテナ２００に接続されている伝送線路が接続されるコネクタ１１０と、コネクタ１１０からの受信信号が入力され、ＶＨＦ帯の上限周波数を低域側のカットオフ周波数とすると共に、ＵＨＦ帯の下限周波数を高域側のカットオフ周波数とするダイプレクサ１２０とを有している。
【００２８】
また、地デジ放送受信装置１００は、ダイプレクサ１２０を通過した高域側の受信信号（地デジ放送信号）を復調し、図示しないリモコン等を介してユーザに指定されたチャンネルに対応する映像信号と音声信号とを抽出する地デジチューナ部１３０と、地デジチューナ部１３０にて抽出された映像信号と音声信号により、制御部１８０により指定されたチャンネル（以後、設定チャンネルとも記載）に対応する搬送波を変調し、ＶＨＦ帯のアナログテレビ放送信号を生成する変調回路１４０とを有する。
【００２９】
また、地デジ放送受信装置１００は、ダイプレクサ１２０を通過した低域側の受信信号（ＶＨＦ帯のアナログテレビ放送信号）が入力される方向性結合器１５０と、方向性結合器１５０から入力されるアナログテレビ放送信号から、チャンネル１または２の一方に対応する信号を抽出する抽出部１６０と、抽出部１６０にて抽出されたアナログテレビ放送信号の検波を行う検波回路１７０と、検波回路１７０における検波により得られた信号が入力され、周知のＣＰＵ，ＲＯＭ，ＲＡＭ等を備える制御部１８０とを有する。
【００３０】
尚、変調回路１４０で生成されたアナログテレビ放送信号は方向性結合器１５０に入力され、ダイプレクサ１２０を経てコネクタ１１０から地デジ用アンテナ２００に出力される。
【００３１】
次に、抽出部１６０の構成について説明する。抽出部１６０は、方向性結合器１５０からのアナログテレビ放送信号を分配する分配回路１６１と、分配回路１６１にて分配された一方のアナログテレビ放送信号のうち、チャンネル１に対応する周波数帯域の信号のみを通過させるＢＰＦ１６２（Band Pass Filter）と、ＢＰＦ１６２を通過した信号を増幅させる増幅回路１６３と、分配回路１６１にて分配された他方のアナログテレビ放送信号のうち、チャンネル２に対応する周波数帯域の信号のみを通過させるＢＰＦ１６４と、ＢＰＦ１６４を通過した信号を増幅させる増幅回路１６５とを有している。また、抽出部１６０は、制御部１８０からの指示に従い、チャンネル１に対応する増幅回路１６３にて増幅された信号と、チャンネル２に対応する増幅回路１６５にて増幅された信号のうちの一方を検波回路１７０に入力させるスイッチング回路１６６を有している。
【００３２】
［動作の説明］
次に、地デジ放送受信装置１００の動作について説明する。地デジ放送受信装置１００は、地デジ用アンテナ２００から地デジ放送信号とアナログテレビ放送信号とを受信し、受信した地デジ放送信号から、図示しないリモコン等を介してユーザに指定されたチャンネルに対応する映像信号と音声信号とを抽出する。そして、チャンネル１または２のいずれかを設定チャンネルとし、抽出した映像信号等を設定チャンネルに対応するアナログテレビ放送信号に変換し、地デジ用アンテナ２００を介してオーディオ３００に送信する。また、地デジ放送受信装置１００は、地デジ放送を視聴するためのアナログテレビ放送信号を送信中に、定期的なタイミングで、設定チャンネル切替処理を実行する。ここでは、図３に記載のフローチャートを用いて、設定チャンネル切替処理について説明する。
【００３３】
Ｓ５０５では、地デジ放送受信装置１００は、制御部１８０は、設定チャンネルがチャンネル１であるかどうかを判定する。設定チャンネルがチャンネル１である場合には（Ｓ５０５：Ｙｅｓ）、制御部１８０は、Ｓ５１０に処理を移行し、設定チャンネルがチャンネル２である場合には（Ｓ５０５：Ｎｏ）、Ｓ５１５に処理を移行する。
【００３４】
Ｓ５１０では、制御部１８０は、スイッチング回路１６６に対し、設定チャンネルではないチャンネル２に対応する受信信号を検波回路１７０に入力するよう指示する。そして、検波回路１７０では、チャンネル２に対応する受信信号の検波がなされ、得られた信号が制御部１８０に入力される。
【００３５】
一方、設定チャンネルがチャンネル２である場合に移行するＳ５１５では、制御部１８０は、スイッチング回路１６６に対し、チャンネル１に対応する受信信号を検波回路１７０に入力するよう指示する。そして、検波回路１７０では、チャンネル１に対応する受信信号の検波がなされ、得られた信号が制御部１８０に入力される。
【００３６】
続いて、Ｓ５２０では、制御部１８０は、検波回路１７０からの入力信号のレベルに基づき、この信号に対応するチャンネルで、アナログテレビ放送の番組が放送されていないかどうかを判定する。具体的には、入力信号のレベルが所定の閾値未満の場合には、対応するチャンネルでアナログテレビ放送の番組が放送されていないとみなす。番組が放送されていない場合には（Ｓ５２０：Ｙｅｓ）、制御部１８０は、設定チャンネルを他方のチャンネルに切り替え、変調回路１４０に対して、地デジチューナ部１３０からの映像信号等による、新たな設定チャンネルに対応する搬送波の変調を指示する。そして、制御部１８０は、本処理を終了する。
【００３７】
また、検波回路１７０からの入力信号に対応するチャンネルで番組が放送されている場合には（Ｓ５２０：Ｎｏ）、制御部１８０は、設定チャンネルを切り替えることなく、本処理を終了する。
【００３８】
［効果］
本実施形態における地デジ放送受信装置１００では、チャンネル１，２のうちの一方が設定チャンネルとされ、デジタルテレビ放送の映像信号等は、設定チャンネルに対応するアナログテレビ放送信号に変換されてオーディオ３００に送信される。そして、チャンネル１，２のうちの設定チャンネルではないチャンネルについて、空きチャンネルかどうかが判定され、このチャンネルが空きチャンネルである場合には、設定チャンネルの入れ替えが行なわれる。
【００３９】
このため、地デジ放送受信装置１００が搭載されている車両が新たな放送区域に進入し、空きチャンネルが偶数チャンネルから奇数チャンネル（或いはその逆）に入れ替わった場合であっても、自動的に、新たな空きチャンネルを設定チャンネルとすることができる。したがって、上記車両が新たな放送区域に進入した場合であっても、デジタルテレビ放送の番組の映像信号等を、新たな空きチャンネルに対応するアナログテレビ放送信号に変換することができる。このため、オーディオ３００におけるアナログテレビ放送の受信を妨げることなく、デジタルテレビ放送の番組の映像信号等を、アナログテレビ放送信号に変換してオーディオ３００に送信することができる。
【００４０】
また、地デジ放送受信装置１００における抽出部１６０では、ＢＰＦによりチャンネル１，２に対応する信号が抽出され、この信号のレベルに基づき放送の有無が判定される。このため、例えば、アナログ用チューナを用いてチャンネル１，２に対応する信号を抽出する場合に比べ、より簡単な構成により、チャンネル１または２における放送の有無についての判定を行うことができる。
【００４１】
［他の実施形態］
（１）本実施形態では、地デジ放送受信装置１００の抽出部１６０は、チャンネル１に対応する受信信号を抽出するＢＰＦ１６２や、チャンネル２に対応する受信信号を抽出するＢＰＦ１６４等を有している。しかし、抽出部１６０は、図４に記載されているように、これらのＢＰＦ等に替えてアナログチューナ部１６７等を有していても良い。そして、アナログチューナ部１６７は、方向性結合器１５０からの受信信号のうち、制御部１８０の指示に応じたチャンネルに対応する受信信号を抽出し、抽出した信号を、増幅回路１６８を経て検波回路１７０に出力しても良い。このような構成を有する場合であっても、制御部１８０にて、所定のチャンネルで放送が行われているかどうかを判定することができ、地デジチューナ部１３０からの映像信号等を、放送が行われていないチャンネルに対応するアナログテレビ放送信号に変換することができる。したがって、同様の効果を得ることができる。
【００４２】
（２）本実施形態では、アナログテレビ放送におけるチャンネル１と２のうちの一方が設定チャンネルとされるが、チャンネル１及び２以外の隣接するＶＨＦ帯の二つのチャンネルに対して、同様の処理を行っても良い。このような構成を有する場合であっても、同様の効果を得ることができる。
【００４３】
（３）本実施形態における地デジ放送受信装置１００は、設定チャンネルを変更した後に、例えば、図示しないスピーカ等を介して、設定チャンネルが変更された旨と、新たな設定チャンネルとをユーザに報知すると良い。こうすることにより、ユーザは、設定チャンネルの変更に応じて、オーディオ３００におけるアナログテレビ放送の受信チャンネルを変更することが可能となり、地デジ放送受信装置１００の利便性を高めることができる。
【００４４】
［特許請求の範囲との対応］
上記実施形態の説明で用いた用語と、特許請求の範囲の記載に用いた用語との対応を示
す。
【００４５】
地デジ放送受信装置１００が変換装置に、地デジ用アンテナ２００がアンテナ部に、オーディオ３００が受信装置にそれぞれ相当する。
また、地デジチューナ部１３０が抽出手段に、変調回路１４０が変換手段に、制御部１８０が判定手段にそれぞれ相当する。
【００４６】
また、アナログテレビ放送におけるチャンネル１及び２が、判定対象チャンネルに相当し、チャンネル１が第一のチャンネルに、チャンネル２が第二のチャンネルにそれぞれ相当する。
【符号の説明】
【００４７】
１００…地デジ放送受信装置、１１０…コネクタ、１２０…ダイプレクサ、１３０…地デジチューナ部、１４０…変調回路、１５０…方向性結合器、１６０…抽出部、１６１…分配回路、１６２…ＢＰＦ、１６３…増幅回路、１６４…ＢＰＦ、１６５…増幅回路、１６６…スイッチング回路、１６７…アナログチューナ部、１６８…増幅回路、１７０…検波回路、１８０…制御部、２００…地デジ用アンテナ、３００…オーディオ、４００…アナログ放送用アンテナ。
【図１】
2010239538.tif 000003
【図２】
2010239538.tif 000004
【図３】
2010239538.tif 000005
【図４】
2010239538.tif 000006